(57)【要約】  生理用ナプキン、失禁パッド、及びパンティーライナーから選択され、トップシート層、バックシート層、バックシート衣類に面する表面上に適用される固定用接着剤を含む、吸収性物品。前記接着剤は、１つ以上の熱可塑性エラストマーを含む。前記物品は、２．９以上のｌｏｇ  Ｐ値及び１４５０以上のコバッツ保持指数を有するもう１つのエステルを含み、少なくとも９０重量％のエステルがカプセル化形態又は錯体化形態で含まれる、芳香剤又は臭気制御組成物を含む。【特許請求の範囲】
【請求項１】
生理用ナプキン、失禁パッド、及びパンティーライナーから選択される、身体に面する表面と衣類に面する表面とを有する吸収性物品であって、
トップシート層と、
バックシート層と、
任意選択の、前記トップシートと前記バックシートとの間に囲まれる１つ以上の中間層と、
１つ以上の熱可塑性エラストマーを含む接着剤が、前記バックシートの衣類に面する表面上に適用される固定用接着剤と、
前記吸収性物品の少なくとも１つの層上又は層内部に適用される芳香剤又は臭気制御組成物と、を含み、
前記芳香剤又は臭気制御組成物が、２．９以上のｌｏｇ  Ｐ値及び１４５０以上のコバッツ保持指数を有するもう１つのエステルを含み、かつ少なくとも９０重量％の前記１つ以上のエステルが、カプセル化形態又は錯体化形態で含まれる、吸収性物品。
【請求項２】
前記１つ以上のエステルの全てが、カプセル化形態又は錯体化形態で含まれる、請求項１に記載の吸収性物品。
【請求項３】
前記芳香剤又は臭気制御組成物が、少なくとも１０重量％（芳香剤又は臭気制御活性成分のみの重量に基づいて）の、２．９以上のｌｏｇ  Ｐ値又は１４５０以上のコバッツ保持指数を有するもう１つのエステルを含む、請求項１又は２に記載の吸収性物品。
【請求項４】
前記１つ以上の熱可塑性エラストマーがスチレンブロックコポリマーを含む、請求項１〜３のいずれか一項に記載の吸収性物品。
【請求項５】
前記固定用接着剤がホットメルト接着剤である、請求項１〜４のいずれか一項に記載の吸収性物品。
【請求項６】
前記芳香剤又は臭気制御組成物が３以上のｌｏｇ  Ｐ値を有する１つ以上のエステルを含む、請求項１〜５のいずれか一項に記載の吸収性物品。
【請求項７】
前記芳香剤又は臭気制御組成物が１５００以上のコバッツ保持指数を有する１つ以上のエステルを含む、請求項１〜６のいずれか一項に記載の吸収性物品。
【請求項８】
前記１つ以上のエステルがデンプンカプセル化されている、請求項１〜７のいずれか一項に記載の吸収性物品。
【請求項９】
前記１つ以上のエステルがシクロデキストリン錯体として存在する、請求項１〜８のいずれか一項に記載の吸収性物品。
【請求項１０】
前記固定用接着剤と前記芳香剤又は臭気制御組成物とがパターンで適用され、前記吸収性物品が平坦化された構成にあり、かつ前記パターンが前記物品の前記身体に面する表面及び衣類に面する表面に対して垂直方向に沿って見られたときに、前記パターンの重なり部がバックシートの全表面の３％を超えない、請求項１〜９のいずれか一項に記載の吸収性物品。
【請求項１１】
前記１つ以上の中間層を含み、前記１つ以上の中間層のうちの少なくとも１つが、超吸収性材料を含む吸収性層である、請求項１〜１０のいずれか一項に記載の吸収性物品。
【請求項１２】
生理用ナプキン、失禁パッド、及びパンティーライナーから選択される、身体に面する表面と衣類に面する表面とを有する吸収性物品を製造するための方法であって、前記吸収性物品が、
トップシート層と、
バックシート層と、
任意選択の、前記トップシートと前記バッククシートとの間に囲まれる１つ以上の中間層と、
１つ以上の熱可塑性エラストマーを含む接着剤が前記バックシートの衣類に面する表面上に適用される固定用接着剤と、を含み、
前記方法が、パッド製造ラインに沿って、芳香剤又は臭気制御組成物が、前記吸収性物品の少なくとも１つの層上又は層内部に適用される、工程を含み、
前記芳香剤又は臭気制御組成物が、２．９以上のｌｏｇ  Ｐ値及び１４５０以上のコバッツ保持指数を有するもう１つのエステルを含み、かつ少なくとも９０重量％の前記１つ以上のエステルが、カプセル化形態又は錯体化形態で含まれる、方法。
【発明の詳細な説明】
【技術分野】
【０００１】
本発明は、固定用接着剤と、接着剤の特性を変化させない効果的な芳香剤又は臭気制御組成物とを含む吸収性物品に関する。
【背景技術】
【０００２】
固定用接着剤を用いて使用中に使用者の下着に取り付けられる個人衛生用吸収性物品は、当該技術分野において既知である。典型例として、生理用ナプキン、パンティーライナー、及び失禁パッドが挙げられる。かかる物品は、通常、尿及び経血などの、人体から排出される体液及びその他の滲出物を吸収及び保持するために使用される。典型的には、そのような滲出物は悪臭があり、不快であると認識される。したがって、吸収性物品における悪臭を制御及び低減させるための方法及び材料が開発されてきた。芳香剤組成物は、この目的で吸収性物品において広く使用されている。「芳香剤」組成物としてそれ自体が適切に定義されていない場合がある（それ自体が好ましい臭気を持っていないため）他の組成物は、悪臭の認知を低下させるのにも使用されている。これらは一般に「臭気制御組成物」と呼ばれている。かかる組成物は、時々、従来の香料成分と共に、体液から放出される悪臭分子（アミン基含有化合物又はチオール基含有化合物など）と化学的に反応することができ、したがって、悪臭の源を中和する成分、及び／又は悪臭の源を遮蔽することができる成分を通常含有する。かかる組成物の例は、国際公開特許ＷＯ２００７／１１３７７８  Ａ２号に記載されている。
【０００３】
芳香剤及び臭気制御組成物は、通常、アルデヒド、ケトン、エステル、エーテル、アルコール、精油、溶媒などを含む有機化合物のブレンドから形成される。かかる有機化合物は、吸収性物品中で使用されるとき、吸収性物品の保管中、バックシートに向かいバックシートを通って固定用接着剤に移行する傾向があることがよく知られている。その結果、下着に取り付けられた製品を所定位置に保持する接着剤の効果がなくなり、かつ／又は使用後に製品が取り除かれると、下着の上に固定用接着剤が残留物を残すという程度にまで、固定用接着剤の特性が変わる可能性がある。
【０００４】
この問題は当該技術分野において既知であり、これを解決する試みが、例えば、香料が布片上で固定化され、それ故にその移行を防止する吸収性物品を説明する米国特許第４２３７５９１号に記載される。ほとんどの香料成分が閉じ込められず、吸収性物品を通って引き続き移行し得るため、この解決法は、依然として全ての場合においてあまり効果的でない。また、この解決法は、扱いがより困難な布片などの「不活性」材料の使用を必要とするため、製造工程の複雑性を増す。
【先行技術文献】
【特許文献】
【０００５】
【特許文献１】国際公開特許ＷＯ２００７／１１３７７８  Ａ２号
【特許文献２】米国特許第４２３７５９１号
【発明の概要】
【発明が解決しようとする課題】
【０００６】
したがって、標準的な装置を用いて容易に製造され、芳香剤又は臭気制御組成物と固定用接着剤とを含み、長期保管を経ても固定用接着剤が芳香剤又は臭気制御組成物の移行による影響を受けない、吸収性物品の必要性が依然として存在する。
【課題を解決するための手段】
【０００７】
本発明は、生理用ナプキン、失禁パッド、及びパンティーライナーから選択される、身体に面する表面と衣類に面する表面とを有する吸収性物品に関し、この吸収性物品は、
トップシート層と、
バックシート層と、
任意選択に、前記トップシートと前記バックシート層との間に囲まれる１つ以上の中間層と、
１つ以上の熱可塑性エラストマーを含む接着剤が、前記バックシート衣類に面する表面上に適用される固定用接着剤と、
前記吸収性物品の少なくとも１つの層上又は層内部に適用される芳香剤又は臭気制御組成物と、を含み、
前記芳香剤又は臭気制御組成物が、２．９以上のｌｏｇ  Ｐ値及び１４５０以上のコバッツ保持指数（ＫＩ）を有するもう１つのエステルを含み、かつ少なくとも９０重量％の前記１つ以上のエステルが、カプセル化形態又は錯体化形態で含まれる。
【０００８】
本発明は更に、生理用ナプキン、失禁パッド、及びパンティーライナーから選択される、身体に面する表面と衣類に面する表面とを有する吸収性物品の製造方法にも関し、この吸収性物品は、
トップシート層と、
バックシート層と、
任意に、トップシートとバックシートとの間に囲まれる１つ以上の中間層と、
１つ以上の熱可塑性エラストマーを含む、前記バックシート衣類に面する表面上に適用される固定用接着剤と、を含み、
本方法は、パッド製造ラインに沿って、芳香剤又は臭気制御組成物が、一層の前記吸収性物品の層上又は層内部に直接適用される工程を含み、前記芳香剤又は臭気制御組成物が、２．９以上のｌｏｇ  Ｐ値及び１４５０以上のコバッツ保持指数を有するもう１つのエステルを含み、かつ少なくとも９０重量％の前記１つ以上のエステルが、カプセル化形態又は錯体化形態で含まれる。
【０００９】
本発明の吸収性物品は、長期の保存時でさえ、ＰＦＡ（panty fastening adhesive）の劣化をほとんど又は全く示さない。
【発明を実施するための形態】
【００１０】
「吸収性物品」は、尿、経血、及び糞便などの身体滲出物を吸収し、封じ込める用具を指す。用語「使い捨て」は、本明細書において、１回の使用後、洗濯されるか、又はさもなければ吸収性物品として復元若しくは再利用されるようには意図されていない吸収性物品を説明するために使用される。吸収性物品の例としては、おむつ、幼児トレーニングパンツ、成人失禁用衣類、及び生理用ナプキン、パンティーライナー、陰唇間用具、痔パッドなどの女性用衛生衣類が挙げられる。本発明による吸収性物品は、生理用ナプキン、失禁パッド、及びパンティーライナーから選択される。
【００１１】
本発明による吸収性物品、及びトップシート、バックシート、吸収性コアなどのその構成要素、並びにそれらの構成要素の任意の個々の層は、身体に面する表面及び衣類に面する表面を有する。本明細書で使用するとき、「身体に面する表面」とは、着用者の身体に向けて又は身体に隣接して着用されることが意図される物品又は構成要素の表面を意味し、一方「衣類に面する表面」はその反対側であり、使い捨て吸収性物品が着用されたときに、着用者の下着に向けて着用される又は下着に隣接して配置されることが意図される。
【００１２】
一般に、本発明の吸収性物品は典型的に、トップシートと、バックシートと、（流体の吸収ではなく、単にパンティーに清潔な感触を提供することを意図する薄型パンティーライナーは除いて）トップシートとバックシートとの間に配置される吸収性コアと、を含む。
【００１３】
吸収性衛生物品のトップシートは、着用者の皮膚及び毛に適合し、柔らかい感触であり、かつ非刺激性であることが好ましい。更にトップシートは液体透過性であり、液体（例えば、経血及び／又は尿）がその厚みを通して容易に浸透可能なものである。好適なトップシートは、織布及び不織布材料（例えば、繊維の不織布ウェブ）、孔あき成形熱可塑性フィルム、孔あきプラスチックフィルム、及びハイドロフォーミングされた熱可塑性フィルムなどのポリマー材料、多孔質発泡体、網状発泡体、網状熱可塑性フィルム、並びに熱可塑性スクリムなどの幅広い種類の材料から製造され得る。好適な織布及び不織布材料は、天然繊維（例えば、木質繊維若しくは綿繊維）、合成繊維（例えば、ポリエステル繊維、ポリプロピレン繊維、若しくはポリエチレン繊維などのポリマー繊維）、又は天然繊維と合成繊維との組み合わせから構成され得る。トップシートが、不織布ウェブを含む場合、ウェブは、多くの既知の技法により製造され得る。例えば、ウェブが、スパンボンドされるか、毛羽立てられるか、湿式載置されるか、メルトブローされるか、水流交絡されるか、上記の組み合わせなどを施されてもよい。
【００１４】
バックシートは、液体（例えば、経血及び／又は尿）に対して不透過性であり得、不織布などの他の可撓性材料も使用され得るが、好ましくは薄いプラスチックフィルムから製造され得る。本明細書で使用するとき、用語「可撓性」は、順応性があり、人体の一般的な形状及び輪郭に容易に適合する材料を指す。バックシートは、吸収性コアに吸収及び保持された滲出物によって、ベッドシーツ、パンツ、パジャマ、及び下着などの吸収性物品に接触する物品が濡れることを防止し得る。バックシートはまた、液体不浸透性でありながら蒸気浸透性（「通気性」）であり得る。バックシートは、織布若しくは不織布材料、ポリエチレン若しくはポリプロピレンの熱可塑性フィルムなどのポリマーフィルム、又はフィルムコーティングされた不織布材料などの複合材料を含み得る。
【００１５】
バックシート及びトップシートは、吸収性コアの衣類面及び身体面それぞれに隣接して配置され得る。吸収性コアは、当該技術分野において周知の取り付け手段などの任意の方法によってトップシート、バックシート、又は双方に接合することが可能である。全吸収性コアの一部が、トップシート、バックシートのいずれか、又は双方に取り付けられていない、本発明の実施形態が想定される。
【００１６】
吸収性コアは、当業者に周知の任意の材料から形成され得る。かかる材料の例としては、多プライの捲縮セルロース塊、毛羽立てられたセルロース繊維、エアフェルトとしても既知である木材パルプ繊維、織物繊維、繊維のブレンド、繊維の塊又は芯、繊維のエアレイドウェブ、ポリマー繊維のウェブ、及びポリマー繊維のブレンドが挙げられる。その他の好適な吸収性コア材料には、ポリウレタン発泡体又は高内相エマルション（「ＨＩＰＥ」）発泡体などの吸収性発泡体が挙げられる。好適なＨＩＰＥ発泡体は、米国特許第５，５５０，１６７号、同第５，３８７，２０７号、同第５，３５２，７１１号、及び同第５，３３１，０１５号に開示されている。
【００１７】
いくつかの吸収性物品では、吸収性コアは比較的薄く、厚さが約５ｍｍ未満、又は約３ｍｍ未満、又は約１ｍｍ未満であり得る。厚さは、当該技術分野において既知のいずれかの手段によって、１．７２ｋＰａの均一な圧力下にある間に、パッドの長手方向中心線沿いの中間点の厚さを測定することによって決定され得る。
【００１８】
吸収性コアは、当該技術分野において既知の、ＡＧＭ繊維を含む吸収性ゲル材料（ＡＧＭ）などの超吸収性材料を含むことができる。したがって、吸収性コアは、超吸収性材料を含む層を構成する。
【００１９】
本発明の吸収性物品は、例えば、トップシートと吸収性コアの間に、第２のトップシート又は捕集層などの、他の追加の構成要素を含むことができる。第２のトップシート又は捕集層は、例えば、カード加工樹脂結合不織布、エンボス加工されたカード加工樹脂結合不織布、嵩高カード加工樹脂結合不織布、カード加工通気結合不織布、カード加工熱結合不織布、スパンボンド加工不織布などから選択される、薄葉化された層又不織布を含み得る。第２のトップシート又は捕集層には、例えば、木材パルプ、木綿、羊毛などの天然繊維、並びにポリ乳酸繊維などの生分解性繊維、及びポリオレフィン（例えば、ポリエチレン及びポリプロピレン）、ポリエステル、ポリアミド、合成セルロース（例えば、ＲＡＹＯＮ（登録商標）、Ｌｙｏｃｅｌｌ）、酢酸セルロース、バイコンポーネント繊維などの合成繊維、並びにそれらのブレンドを含む、様々な繊維が使用され得る。第２のトップシート又は捕集層の坪量は、所望の用途により変化し得る。
【００２０】
吸収性物品は、典型的に失禁パッドに見られるサイドカフ、及び／又は典型的に生理用ナプキンに見られるサイドウイング若しくはサイドフラップなどの構成要素を更に含み得る。
【００２１】
本明細書の吸収性物品は、単回使用後に好ましくは使い捨てられ、通常は、複数個を含み、場合によっては個別包装される場合があるパッケージで市販されている。
【００２２】
バックシートは、典型的に、固定用接着剤が配置される吸収性物品の衣類に面する表面を形成する。これらの接着剤は、パンティー固定用接着剤と呼ばれ、通常、当該技術分野において一般的な頭字語を用いたＰＦＡと称される。ＰＦＡは、典型的には、感圧性であり、適用温度をはるかに下回る温度で粘着性のままである。本発明における固定用接着剤は、少なくとも１つの熱可塑性エラストマーを含む。熱可塑性エラストマー（熱可塑性ゴムとしても既知）は、当該技術分野において既知であり、熱可塑性及びエラストマー性の両特性を有する材料からなるクラスのコポリマー又はポリマーの物理的ミックス（通常プラスチック及びゴム）である。それらは熱硬化材であるほとんどのエラストマーとは異なる。それらの特性は、熱硬化性エラストマーで生じる共有結合を用いる架橋とは対照的に、水素結合を用いる弱い架橋に起因すると考えられている。
【００２３】
本発明における好ましい熱可塑性エラストマーは、スチレンブロックコポリマー、例えば、スチレンイソプレンスチレン（ＳＩＳ）又はスチレンブタジエンスチレン（ＳＢＳ）である。いくつかの実施形態において、ＰＦＡは、粘着剤、好ましくは、ロジンエステルなどのエステルを含む粘着剤を含む。全ての実施形態は、有利に、可塑剤も含み得、可塑剤は当該技術分野において既知であり、流動性及び溶解したときの接着剤の扱いやすさを提供するために使用される。可塑剤の例としては、ワックス、鉱油若しくは植物油などの油、又は脂肪が挙げられる。
【００２４】
好ましくは、ＰＦＡはホットメルト接着剤である。
【００２５】
本発明に従うＰＦＡは、物品が所定位置に堅固に維持され、残留物を残すことなく必要なときに容易に除去され得るように適切な接着力でほとんどの下着生地（綿及び合成線維の両方）に接着するのに有効である。
【００２６】
吸収性物品の使用に先立ち、ＰＦＡでコーティングされている領域は典型的に、汚染及び別の表面との接着から守られるが、シリコーンコーティングした剥離紙、プラスチックフィルム、又は任意のその他の容易に取り外し可能なカバーなどの保護カバー手段によるものは望まれない。保護カバー手段は、例えば、個々の接着剤領域を覆うため、単一片又は複数片として提供されてよい。また、物品を個別にパッケージすること、又は使い捨ての機能を与えることなど、他の機能を実施することもできる。任意の市販の剥離紙又はフィルムが使用されてよい。好適な例には、アクロジル社（Ａｋｒｏｓｉｌ  Ｃｏｒｐｏｒａｔｉｏｎ）から入手可能なＢＬ  ３０  ＭＧ−Ａ  ＳＩＬＯＸ  ＥＩ／Ｏ、ＢＬ  ３０  ＭＧ−Ａ  ＳＩＬＯＸ  ４  Ｐ／Ｏ、及びドイツ国のグロナウ社（Gronau）からコードＸ−５４３２として入手可能なＭ＆Ｗフィルムが挙げられる。
【００２７】
ＰＦＡは、スロットコーティング、噴霧、及びロール印刷などの、本目的のために当該技術分野において周知の方法のうちの任意の１つを用いて、吸収性物品の衣類に面する表面、典型的にはバックシート及び／又はウィングに適用されてよい。
【００２８】
ＰＦＡを吸収性物品の衣類に面する表面に適用する１つの方法は、バックシート上への直接コーティングであり、別の方法は、剥離紙上へＰＦＡを印刷してから、吸収性物品の衣類に面する表面に押し付けることである。これによって、ＰＦＡが剥離紙から吸収性物品の衣類に面する表面に転写される。このような手順は欧州特許第７８８，３３８号に記載されている。
【００２９】
ＰＦＡが物品のバックシート上の全表面、又は１０〜９９％、又は１０〜９５％、又は１０〜６０％、又は１５〜５０％を被覆することが望ましくあり得る。
【００３０】
一般に、芳香剤又は臭気制御組成物の好適な構成成分として、芳香成分及び反応性成分が挙げられる。芳香成分は通常、香水の分野で使用されて、審美的に心地良い匂いを有する組成物を提供する。反応性成分は、アンモニア系悪臭又はイオウ系悪臭などの悪臭と反応できる成分（すなわち、「悪臭反応性成分」）、並びに悪臭を遮蔽する（すなわち、「悪臭遮蔽成分」）成分を含む。好適な反応性成分は、例えば米国特許出願公開第２００８／００７１２３８  Ａ１号及び国際公開特許ＷＯ  ２００７／１１３７７８  Ａ２号に記載されている。
【００３１】
反応性成分に関しては、アンモニア、又はチオールなどの悪臭のするイオウ化合物と反応するものは、本発明において非常に効果的であり得る。アンモニア及びチオールの２つは、経血又は尿などの吸収体液に関連する悪臭の構成成分として一般的である。例えば、アンモニアは、典型的には、尿の分解が原因で、尿吸収に使用された吸収性製品中に多量に存在する。
【００３２】
アルデヒド及び／又はケトンはアンモニア及びその誘導体と反応し、つまりマイケル付加反応によって、イミンを形成できる（いわゆるシッフ塩基反応による）。
【００３３】
アルデヒド及び／又はケトンはチオールとも反応し、つまりマイケル付加によって、チオアセタールを形成できる。いずれの場合も、得られる化合物は不揮発性であり、そのため本質的に無臭である。
【００３４】
本明細書において好適な他の構成要素は、悪臭を遮蔽する構成要素である。これは、悪臭の蒸気圧抑制によって、又は不快な悪臭を芳香成分の好ましい臭気で圧倒することによって生じ得る。使用するとき、これらの材料は、悪臭を検出する能力を著しく低減し得る。悪臭を隠す遮蔽能力は、選択される材料の揮発性性質によって可能であるが、これは、吸収性物品中の錯体又はカプセルから放出され、次いで、一般的に、吸収性物品の幾分近い範囲、例えば物品の約０〜１０メートル以内（これは本発明の範囲を制限することを全く意図していないが）にある消費者の鼻へと通常の呼吸によって吸い込まれる。
【００３５】
芳香剤又は臭気制御組成物の構成成分は、審美的に心地良い臭気特性を混合物に付与する芳香成分を含んでもよい。
【００３６】
特定の成分に関しては、同じ成分が、悪臭反応性成分、悪臭マスキング成分、及び／又は芳香成分の両方であると見なすことができる場合がある。
【００３７】
反応性成分として使用され得る化合物、遮蔽成分及び芳香成分は、例えば、米国特許出願公開第２００８／００７１２３８  Ａ１号及び国際公開特許ＷＯ  ２００７／１１３７７８  Ａ２号に、当該技術分野において列挙される。
【００３８】
全てのこれらの化合物は、液体として、又は本発明のエステルに関連して本明細書に記載される同一の種類のカプセル化形態又は錯体化手段でのカプセル化形態／錯体化形態で使用され得る。カプセル又は錯体の使用は、一般に、材料を保護し、例えば、尿又は月経液の噴き出しが吸収性物品に影響を及ぼすときなどの最も必要なときにのみその放出を誘発することを可能にする。いくつかの実施形態において、また、遊離化合物及びカプセル化形態及び／又は錯体化化合物の組み合わせが使用され得る。
【００３９】
芳香剤又は臭気制御組成物は、当業者には周知である従来の低粘稠性流体塗布装置、例えば噴霧アプリケータ、液滴アプリケータ、又はビーズアプリケータを用いて、様々な方法で、かつ様々なパターンで吸収性物品に塗布できる。かかるアプリケータにより、ストライプ、円形、水玉、しずく形、幾何学形状、星形、装飾的形状、不規則形状などといった任意の塗布パターンの形成を可能にする。パターン付きの適用もまた有用であるが、それはこれが正確な適用を可能にし、その結果、吸収性物品の様々な層を結合する糊との接触を回避するのが容易になるからである。
【００４０】
芳香剤又は臭気制御組成物は典型的に、吸収性物品１つにつき約０，０１〜約５００ミリグラム、吸収性物品１つにつき約３〜約２００ミリグラム、又は吸収性物品１つにつき約４〜約１５０ミリグラムの量で吸収性物品中に配置される。吸収性物品が生理用ナプキン又はパンティーライナーから選択されるいくつかの実施形態において、この量は約０．０４〜約１００ｍｇであり得、吸収性物品が失禁用具であるいくつかの実施形態において、この量は吸収性物品１つにつき約１〜約３００ミリグラムであり得る。
【００４１】
本発明における芳香剤又は臭気制御組成物は、一層の前記吸収性物品の層上又は層内部に適用される。これは、吸収性物品が一連の層によって構成されるため、芳香剤又は臭気制御組成物がこれらの層の表面のうちの１つの上に適用されることを意味する。あるいは、層のうちの１つがこれを（例えば、吸収性コアなどの厚い繊維性層であるために）可能にする場合、この層を、物品の衣類に面する表面に対して実質的に平行の面に沿って２つに切断でき、切断によって得られる２つの表面のうちの１つに芳香剤又は臭気制御組成物を適用でき、次いで、層を単一の層に再度結合できる。
【００４２】
いくつかの実施形態において、芳香剤又は臭気制御組成物はパターンで適用され得る。これらの場合において、芳香剤又は臭気制御組成物は、例えば、ストライプ、円形、水玉、しずく形、幾何学形状、星形、装飾的形状、不規則形状などといった任意の可能な適用パターンで、適用表面上に適用される。いくつかの場合において、芳香剤又は臭気制御組成物を、物品内の２つ以上の層に適用することが可能である。この場合、本発明の目的において、芳香剤又は臭気制御組成物の適用の「パターン」とは、平坦な形状の物品の衣類に面する表面に対して平行な面上に投影された、様々なパターンの組み合わせと見なされる。
【００４３】
同様に、いくつかの実施形態において、また、ＰＦＡは、例えば、ストライプ、円形、水玉、幾何学形状、星形、装飾的形状、不規則形状などといった任意の可能な適用パターンから選択され得るパターンで、吸収性物品のバックシート上にも適用され得る。
【００４４】
上述のように、芳香剤又は臭気制御組成物で一般に使用される望ましい成分のうち、エステルは重要な役割を果たす。芳香剤で使用される多くの一般的な成分、並びに嗅覚受容体上で作用する悪臭のマスキングに有効な多くの成分は、エステルである。他の香料成分の溶媒として使用され、そうでなければ芳香剤又は臭気制御組成物に相溶しない多くの低臭気化合物もエステルである。低揮発性及び比較的高い疎水性を有するいくつかの特定のエステルは、長時間の持続的送達を提供することができ、かつ遮蔽剤として特に有効であり、溶媒として働き、他の成分の蒸発を防止する香料組成物においても有用であるため、本発明において特に有用である。これらの特定のエステルは、２．９以上のｌｏｇ  Ｐ値及び１４５０以上のコバッツ保持指数を有するエステルとして、本発明において特定される。これらの中でも、好ましいエステルは、３以上のｌｏｇ  Ｐ値を有するもの及び１５００以上のコバッツ指数を有するものである。
【００４５】
ｌｏｇ  Ｐ値の使用は、材料がオクタノールと水との間の分配のために有する、相対的親和性を表すとして、化学技術分野において周知であり、それでオクタノールにより容易に分配する材料はより親油性である傾向があり、オクタノールにあまり容易に分配しない材料はより高いｌｏｇ  Ｐ値を有する。所与の物質のためにｌｏｇ  Ｐを測定する任意の方法は、同等の結果を与えるべきであり、本発明において疑念がある場合には、ｌｏｇ  Ｐ値は、その記載が参照により本明細書に組み込まれる「Ｐｒｏｄｕｃｔ  Ｐｒｏｐｅｒｔｉｅｓ  Ｔｅｓｔ  Ｇｕｉｄｅｌｉｎｅｓ−ＯＰＰＴＳ  ８３０．７５５０  Ｐａｒｔｉｔｉｏｎ  Ｃｏｅｆｆｉｃｉｅｎｔ（ｎ−Ｏｃｔａｎｏｌ／Ｗａｔｅｒ），Ｓｈａｋｅ  ｆｌａｓｋ  ｍｅｔｈｏｄ．」という題名で、ＯＰＰＴＳ  ８３０．７５５０，ＥＰＡ  ７１２−Ｃ−９６−０３８  Ａｕｇｕｓｔ  １９９６として公表される米国環境保護庁（United States Environmental Proetction Agency）（ＥＰＡ）によって公表された方法を使用して得ることができる。全ての場合では、推奨される手順が記載される（振とう器の回転の数など）、以下のこのＥＰＡ法にける推奨される手順に従うべきである。２つの相における物質の分析的決定のために、当業者は、何の分析方法を使うべきかを知っており、ガスクロマトグラフィー法（ＧＣ）が使用され得ることが好ましいが、一方で、ＧＣが好適でない場合には、ＨＰＬＣが使用され得る。
【００４６】
当該技術分おいて既知のコバッツ指数は、同族列のｎ−アルカン標準に対するコバッツ指数に関して、物質の保持容量に基づくクロマトグラフィーカラム上の香料原料（ＰＲＭ）の選択的保持として規定される。
【００４７】
本出願においてコバッツ指数は、水素炎イオン化検出器（ＦＩＤ）を備えるＡｇｉｌｅｎｔ  Ｔｅｃｈｎｏｌｏｇｉｅｓ  ６８９０ガスクロマトグラム又は同等物を使用して、Ａｇｉｌｅｎｔ  Ｔｅｃｈｎｏｌｏｇｉｅｓから入手可能な０．２５ミクロンの膜厚さを有するＤＢ−５（５％フェニル−メチルポリシロキサン）カラム（３０ｍ×０．２５ｍｍ内径）を使用して、実験的に導出され得る。クロマトグラフィー条件は、一定の流量プログラミングを伴う１ｍＬ／分のヘリウムキャリア、４℃／分での５０℃〜３００℃の温度プログラム、検出器温度３５０℃、３００℃でのスプリット注入である。異なるクロマトグラフィー条件は、対象の分析物の分離を達成するのに必要とされ得、当業者によって容易に調節され得る。直鎖状アルカン炭化水素標準ミックス（Ａｌｄｒｉｃｈ  Ｃｈｅｍｉｃａｌ  Ｃｏｍｐａｎｙから入手可能なＣ８〜Ｃ２２又は等価物）が注入され、各構成要素の保持時間が記録される。試験試料（好適な溶媒で適切に希釈された）が、同一の条件下で注入され、対象の各構成要素の保持時間が記録される。非等温条件下でのコバッツ指数が、以下の式を使用して、試験試料中の対象の各構成要素のために計算される。
ＫＩ＝１００ｎ＋１００［（ｔ物質−ｔｎ）／（ｔｎ＋１−ｔｎ）］
式中、
ｔ＝ピークの未修正の保持時間
未知＝対象のピーク
ｎ＝ピークが対象のピークと隣接するより小さなアルカン中の炭素原子の数
【００４８】
周知のように、材料の極性、分子量、蒸気圧、沸点、及び固定相特性は、保持の程度、従ってコバッツ指数の程度を決定する。
【００４９】
２．９以上のｌｏｇ  Ｐ値及び１４５０以上のコバッツ保持指数を有するエステルの例は以下のエステルである。
【００５０】
【表１】
2016523633.tif 000002
【００５１】
２．９以上のｌｏｇ  Ｐ値及び１４５０以上のコバッツ保持指数を有する他のエステルは、クエン酸エステル、安息香酸エステル、セルロースエステル、サリチル酸エステル、乳酸エステル、酢酸エステル（又はアセテート）中に見出され得る。芳香成分として一般的に使用されるエステルのｌｏｇ  Ｐ及びＫＩの値は、例えば、オンラインデータベースｗｗｗ．ｐｈｅｒｏｂａｓｅ．ｃｏｍ及び容易にアクセス可能であり、当業者に周知である多くの他のもので、当該技術分野において広く入手可能である。
【００５２】
また、環状エステル、すなわち、ラクトンは、本発明の目的で、「エステル」と見なされる。
【００５３】
２．９以上のｌｏｇ  Ｐ値及び１４５０以上のコバッツ保持指数を有するエステルは、物品の層を通って移行し、流体不透過性バックシート及びその衣類に面する表面上に適用されたＰＦＡに達するとき、より問題点がある、なぜなら移行がより効率的であることと、特に、ＰＦＡが本発明に従う熱可塑性エラストマーを含むとき接着剤の特性に対してより悪影響を与えることの両方の理由のためということが見出された。
【００５４】
これら芳香剤又は臭気制御組成物の構成成分の移行は、バックシート及びＰＦＡ糊の特徴を変化させる恐れがある。特に、ＰＦＡは、バックシートへの接着性を失う傾向があり、物品の使用後、パンティー上に望ましくない糊の残留物が残される場合がある。他の場合において、ＰＦＡは、吸収性物品が使用中に所定位置に適切に維持されず、かつ／又はＰＦＡが衣服に移って、除去するのが困難な残留物を残し得るように、その機能を単純に失い得る。
【００５５】
この問題は、２．９以上のｌｏｇ  Ｐ値及び１４５０以上のコバッツ保持指数を有する１つ以上のエステルを含み、少なくとも９０重量％の前記１つ以上のエステルがカプセル化形態又は錯体化形態で含まれる、芳香剤又は臭気制御組成物を含む物品を提供することによって、本発明において解決された。いくつかの実施形態において、少なくとも９５％の前記１つ以上のエステルは、カプセル化形態又は錯体化形態で含まれ、他の実施形態において、少なくとも９９％の前記１つ以上のエステルは、カプセル化形態又は錯体化形態で含まれる。いくつかの実施形態において、全ての前記エステルは、カプセル化形態又は錯体化形態でもっぱら含まれる。
【００５６】
いくつかの実施形態において、本発明の芳香剤又は臭気制御組成物は、２．９以上のｌｏｇ  Ｐ値及び１４５０以上のコバッツ保持指数（ＫＩ）を有する、少なくとも１０重量％又は１５重量％又は２０重量％（芳香剤又は臭気制御活性成分のみの重量に基づいている、すなわち、カプセル化材料又は錯体化材料を考慮しない）のもう１つのエステルを含む。留意のため、本発明の芳香剤又は臭気制御組成物を作製する化合物、カプセル化形態／錯体化材料、の重量パーセントは、考慮されない。
【００５７】
芳香剤又は臭気制御組成物において選択されるエステルの特定のクラス（２．９以上のｌｏｇ  Ｐ値及び１４５０以上のコバッツ保持指数（ＫＩ）を有するもの）に属する、少なくとも９０重量％又は９５重量％又は９９重量％又は全てのエステルを選択的にカプセル化又は錯体化することによって、熱可塑性エラストマーを含むＰＦＡを有する吸収性物品が作製され得、芳香剤又は臭気制御組成物がその機能を実行し得、同時に、ＰＦＡ劣化が、芳香剤又は臭気制御組成物の特性に影響を及ぼすことなく、又は物品が所定位置にとどまることの性能に影響を及ぼすことなく、防止されることが見出された。
【００５８】
本出願の全てのパーセントは、別途示されない限り重量パーセントを示す。
【００５９】
本出願に記載される全ての実施形態は、当業者には明らかであるように、組み合わせられ得る。例えば、芳香剤又は臭気制御組成物を含む本発明に従う吸収性物品の各実施形態において、その組成物が、２．９以上のｌｏｇ  Ｐ値及び１４５０以上のコバッツ保持指数（ＫＩ）を有する、少なくとも１０重量％又は１５重量％又は２０重量％のもう１つのエステルを含み、少なくとも９０重量％又は９５重量％又は９９重量％の前記エステルがカプセル化形態又は錯体化形態で含まれる。
【００６０】
カプセル化化合物
本発明のエステルは、当該技術分野において既知の任意の技法を使用してカプセル化され得る。本発明内の用語「カプセル化」は、一般に、「カプセル化材料」と呼ばれる他の材料との混合物中での固体として、本発明によるエステルを吸収性物品内に導入することを可能にする任意の技術を包含することを意図する。カプセル化されたときには、エステルは他の材料との接触が防止され、それにより望まない反応が避けられる。更に、カプセル化されたときには、エステルの蒸発は防止される。多くの種類のカプセルが、当該技術分野において既知であり、香料成分の送達のために使用される。全てのこれらの種類のカプセルが本発明において使用可能である。カプセルは、あらゆるサイズを有し得、当該技術分野において典型的に使用され、本明細書において好適なのは、ナノカプセル、マイクロカプセル、及びより大きなカプセルである。一般に、カプセルは、より短い直径が３ｍｍ未満又は１ｍｍ未満であるようなサイズを有する。
【００６１】
カプセルは、カプセル化化合物を必要なときに放出することを可能にする。典型的には、吸収性物品の場合、これは以下の２つの場合に対応する。
１−物品が液体損傷を受けたとき（例えば、吸収性衛生物品中に経血又は尿が排泄されるとき）、この場合カプセルは、水溶性材料又は水若しくは水含有液体と接触すると、カプセル化化合物の放出を誘発する材料を含む。
２−物品に圧力又は力がかかるとき（例えば、吸収性衛生物品が高レベルの活動量中に着用される場合）、この場合、例えば、破裂可能なポリマーフィルムのシェルを有する破砕性カプセルが使用され得る。
【００６２】
全てのこれらの種類のカプセルは、例えば、香料送達系として既知である。
【００６３】
しかしながら、これらの２つの場合は非限定例として意図されるべきである。実際、任意の他の誘因（又は誘因の組み合わせ）、例えば、蒸発、拡散、温度、湿度、光などを使用して、カプセルからカプセル化化合物を放出することができる。カプセル化化合物の放出は、要求に応じて、即座又は経時的に持続され得る。当業者は、所望の誘因アクション及び放出の型に基づいて、当該技術分野において既知のものから適切なカプセル化材料を選択することができる。
【００６４】
異なるカプセル化材料を使用してカプセルを得ることができる。
Ｉ．ポリマー。ポリマー材料はカプセル化材料として使用され得る。
古典的なコアセルベート、水溶性又は部分的可溶性から不溶性荷電又は中性ポリマー、液晶、ホットメルト、ヒドロゲル、香料付与プラスチック、マイクロカプセル、ナノラテックス及びマイクロラテックス、ポリマーフィルム形成剤、ポリマー吸収剤、及びポリマー吸着剤などがいくつかの例である。ポリマーカプセルは以下のものを含むが、これらに限定されない。
【００６５】
ａ．）マトリックス系カプセル化されるべき化合物は、ポリマーマトリックス又は粒子中に溶解又は分散される。かかる化合物は、例えば、製品に処方する以前にポリマー中に分散され得る。ポリマーからのカプセル化化合物の拡散は、所望の表面に付着又は塗布されたポリマーマトリックス系から化合物を放出させるか、あるいはその放出速度を増加させる一般的な誘因であるけれどもが、化合物の放出を制御する多くの他の誘因が知られている。ポリマー粒子、フィルム、溶液などの内部又は上部への吸収及び／又は吸着はこの技術の態様である。有機材料（例えば、ラテックス）からなるナノ又はマイクロ粒子がその例である。本明細書で使用され得る好適な粒子としては、ポリアセタール、ポリアクリレート、ポリアクリル酸、ポリアクリロニトリル、ポリアミド、ポリアリールエーテルケトン、ポリブタジエン、ポリブチレン、ポリブチレンテレフタレート、ポリクロロプレン、ポリエチレン、ポリエチレンテレフタレート、ポリシクロヘキシレンジメチレンテレフタレート、ポリカーボネート、ポリクロロプレン、ポリヒドロキシアルカノエート、ポリケトン、ポリエステル、ポリエチレン、ポリエーテルイミド、ポリエーテルスルホン、ポリエチレンクロリネート、ポリイミド、ポリイソプレン、ポリ乳酸、ポリメチルペンテン、ポリフェニレンオキシド、ポリフェニレンスルフィド、ポリフタルアミド、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物に基づいたポリマー又はコポリマーなどの広範な材料が挙げられるが、これらに限定されない。
【００６６】
「標準的な」系とは、ポリマーに関連した予備充填された化合物を放出の瞬間まで保持することを意図して「予備充填された」ものを指す。かかるポリマーはまた、未希釈の製品の臭気を抑制し、化合物の放出速度に応じてブルーム効果及び／又は持続効果を提供し得る。かかるシステムの１つの課題は、１）製品内安定性（必要時まで担体内部に化合物を保持すること）と、２）適時放出（使用時）との理想的なバランスを実現することである。好適なマイクロ粒子、及びマイクロラテックス並びにその製造方法は米国特許出願公開第２００５／０００３９８０（Ａ１）号に見出され得る。マトリックス系はまた、ホットメルト接着剤、及び芳香性プラスチックを含む。ポリマー支援型送達（ＰＡＤ）マトリックス系は以下の参考文献に記載のものを含み得る。米国特許出願公開第２００４／０１１０６４８  Ａ１号、同第２００４／００９２４１４  Ａ１号、同第２００４／００９１４４５  Ａ１号、及び同第２００４／００８７４７６  Ａ１号、並びに米国特許第６，５３１，４４４号、同第６，０２４，９４３号、同第６，０４２，７９２号、同第６，０５１，５４０号、同第４，５４０，７２１号、及び同第４，９７３，４２２。
【００６７】
シリコーンはまた、カプセル化材料として使用され得、かつ化合物放出効果を提供するポリマーの例である。好適なシリコーン並びにその製造方法は、国際公開特許ＷＯ  ２００５／１０２２６１号、米国特許出願公開第２００５／０１２４５３０Ａ１号、同第２００５／０１４３２８２Ａ１号、及び国際公開特許ＷＯ  ２００３／０１５７３６号に見出され得る。米国特許出願公開第２００６／００３９１３  Ａ１号に記載されるように機能化したシリコーンを使用することも可能である。シリコーンの例としては、ポリジメチルシロキサン及びポリアルキルジメチルシロキサンが挙げられる。
【００６８】
ｂ．）リザーバ系、リザーバ系は、放出されるべき化合物が保護シェルとして機能する放出制御膜によって包囲される、コア−シェル型技術としても既知である。カプセル内部の物質が、コア、内部相、又は封入物と呼ばれるのに対して、この壁は時としてシェル、コーティング、又は膜と呼ばれる。シェル材料の種類に応じて、カプセルは、異なる機構によって活性化され得、例えば、コーティングは水に可溶性であるか、又は一定のｐＨを有する水溶液に可溶性であり得る。本発明の特定の実施形態において、リザーバカプセルは、水不溶液シェルを有し、カプセルのコアは機械的活性化の際に放出される。
【００６９】
感圧カプセル又は砕けやすいカプセルはこの技術の例である。砕けやすいカプセルは、任意のサイズ、及び形状で作製され得、典型的に使用されるものは砕けやすいマイクロカプセルである。任意の種類のポリマー材料を使用して、砕けやすいカプセルのシェルを作製し、並びに、当該技術分野において既知ように任意の材料がコア材料として使用され得る。当業者は、材料の適合性を考慮する当該技術分野において利用可能な知識に基づいて、特定のコア材料をカプセル化するのにどの材料を使用し得るかを判定することができる（例えば、一般に、シェル材料は、コア材料がその上で溶媒として機能しないように選択される）。砕けやすいＭＩＣＲＯカプセルの詳細をここで記載するが、当業者には同一の種類の材料及び構成を使用して、より大きな又はより小さなカプセルを作製できることは明らかである。
【００７０】
砕けやすいマイクロカプセルは、外側シェルが任意のポリマー又はポリマーの混合物から作製されるカプセルである。砕けやすいマイクロカプセルのシェル中に含まれるとして使用され得る典型的なポリマーは、メラミン−ホルムアルデヒド又は尿素−ホルムアルデヒド縮合物、メラミン−レゾルシノール又は尿素−レゾルシノール縮合物、ナイロン、ポリアクリレート、ポリエチレン、ポリアミド、ポリスチレン、ポリイソプレン、ポリカーボネート、ポリエステル、ポリ尿素、ポリウレタン、ポリオレフィン、ポリサッカライド、エポキシ樹脂、ビニルポリマー、絹、羊毛、ゼラチン、セルロース、タンパク質、及びそれらの混合物、並びに、コモノマーとして、これらの述べられたポリマーに包含されるモノマーを含むコポリマーを含む。
【００７１】
砕けやすいマイクロカプセルの中で最も安定しているのは、ポリオキシメチレン尿素（ＰＭＵ）系ポリマー、メラミン−ホルムアルデヒド系ポリマー、及びポリアクリレート系ポリマーを含むものである。
【００７２】
いくつかの実施形態において、マイクロカプセル外側シェル材料はポリアクリレート材料を含み得る。アクリレート又はメタクリレートモノマーを含む任意のポリマー又はコポリマーが本発明において使用され得、好ましい材料は、例えば、米国特許出願公開第２０１２／２７６２１０Ａ１号に記載のものなどのポリアクリレートマイクロカプセルを形成するとして、当該技術分野において既知のものである。いくつかの実施形態において、マイクロカプセルのシェルはポリアクリレートコポリマーを含み、いくつかの場合において、ポリアクリレートランダムコポリマーであり得る。
【００７３】
砕けやすいマイクロカプセルは、その外側シェルが破裂すると、そのコア物質を放出するように構成される。破裂は、機械的相互作用の間、外側シェルにかかる力によって引き起こされ得る。砕けやすいマイクロカプセルは様々な破壊強度を有し得る。各マイクロカプセルは、米国同時係属出願第６１／７０３５８７号に記載される破壊強度試験方法に従い測定するとき、０．２〜１０．０メガパスカルの破壊強度を有する外側シェルを有し得る。一例として、マイクロカプセルは、０．２〜２．０メガパスカルの破壊強度を有する外側シェルを有し得る。
【００７４】
砕けやすいマイクロカプセルは、様々なコアとシェルとの比率を有し得る。各マイクロカプセルは、外側シェル、及び外側シェル内のコア、及び９９−１〜１−９９、又は９５−５〜１０−９０、又は５０−５０〜９０−１０のコアと外側シェルとの比率（重量）を有する。
【００７５】
砕けやすいマイクロカプセルは、様々な外側シェル厚さを有し得る。いくつかの実施形態において、マイクロカプセルは、１〜３００ナノメートル又は２〜２００ナノメートルの全体厚さを有する外側シェルを有し得る。
【００７６】
吸収性物品などの無水製品への適用のため、マイクロカプセルが無水粒子として適用されることが特に好ましい。かかる粒子は、米国特許出願第６１／７０３６１６号に記載されるような噴霧乾燥によって生成され得る。砕けやすいマイクロカプセルが噴霧乾燥される場合には、担体ビヒクルを含むペースト又はスラリーでこれらの粒子を適用することが好ましい。これらの粒子はまた、担体ビヒクルを使用しないで、粉末として物質に直接適用され得る。あるいは、砕けやすいマイクロカプセルは、吸収性物品の表面に、水溶性スラリーを介して送達され、乾燥され得る。
【００７７】
砕けやすいマイクロカプセル及びそれらを作製するための関連方法、並びに本明細書において使用され得るそれらの特性を測定するための方法は、参照により本明細書に組み込まれる米国同時係属出願第６１／７０３６１６号及び同第６１／７０３５８７号に記載される。
【００７８】
ポリアクリレートマイクロカプセルの製造方法の例は、参照により本明細書に組み込まれる米国特許出願第６１／３２８，９４９号、同第６１／３２８，９５４号、同第６１／３２８，９６２号、及び同第６１／３２８，９６７号に開示されている。
【００７９】
ＩＩ．デンプン、デンプンカプセル化技術の使用によれば、例えば、デンプンなどの成分を加えて液体化合物を固体に変換することによって、カプセル化されるべき化合物の特性を改変することが可能である。その効果は、製品保存の間の揮発性化合物の保持の増加を含む。水分との曝露の際に、放出が誘発され得る。別の効果は、デンプンカプセル化は、製品処方者が、通常、デンプンカプセル化の存在なしでは使用できない化合物を選択し又は化合物の濃度を選択することを可能にするということである。好適なデンプンカプセル化の例、並びにそれを作製する方法は、米国特許出願公開第２００５／０００３９８０  Ａ１号及び米国特許第６，４５８，７５４  Ｂ１号に見出され得る。
【００８０】
一態様では、デンプンカプセル化化合物は、デンプン、水、少なくとも０．２５単位だけデンプン−水混合物のｐＨを低くするのに十分な量で混合物中に組み込まれる酸、及びカプセル化する必要のある化合物（複数可）を含む混合物を調製し、この混合物を噴霧乾燥し、それによってカプセル化化合物（複数可）を形成することによって作製され得る。化合物（複数可）カプセル化の過程の最初の工程において、デンプン、水、カプセル化される必要のある化合物（複数可）、及び酸を含む水溶性混合物が調製される。これらの成分は、任意の順序で添加され得るが、通常、デンプン−水混合物が最初に調製され、その後、連続的に又は一緒にのいずれかで、酸及びカプセル化するための化合物（複数可）が添加される。それらを連続して追加した場合、酸は、封入成分に先だって追加してよい。あるいはまた、酸は、封入成分の後に追加してもよい。水性混合物中のデンプン濃度は、下限が５〜１０重量％、上限が６０あるいは７５重量％であることも可能である。一般的には、混合物内のデンプン濃度は、２０〜５０重量％、より一般的には水性混合物中にておよそ２５〜４５重量％である。
【００８１】
好適なデンプンは、生デンプン、前ゼラチン化デンプン、塊茎とマメ科植物と穀草及び穀類から誘導された加工デンプン、例えばトウモロコシデンプン、小麦デンプン、コメデンプン、蝋状トウモロコシデンプン、オートデンプン、カッサバデンプン、蝋状大麦デンプン、蝋状コメデンプン、甘味コメデンプン、アミオカ、ポテトデンプン、タピオカデンプン及びこれらの混合物から調製できる。修飾デンプンは、本発明の使用に特に好適であり得、これらは、加水分解デンプン、酸希薄化デンプン、疎水基を有するデンプン、例えば、長鎖炭化水素（Ｃ５以上）のデンプンエステル、酢酸デンプン、オクテニルコハク酸デンプン、及びそれらの混合物を含む。一態様では、オクテニルコハク酸デンプンなどのデンプンエステルが用いられる。
【００８２】
「加水分解デンプン」という用語は、デンプン、好ましくはトウモロコシデンプンの酸及び／又は酵素による加水分解で典型的に得られるオリゴ糖型物質を意味する。デンプン／水−混合物中に、デンプンエステルを含むことが好ましい。特に好ましいものは、デンプン分子の１，４結合を非還元末端から開裂させて、短鎖糖類を生成し、実質的にデンプン基部の高分子量部分を維持しつつ高耐酸化性を提供することのできる少なくとも１つの酵素によって分解された疎水基、又は疎水基及び親水基の両方を含有するデンプン誘導体、を含む修飾デンプンである。水性デンプン混合物はまた、デンプン用可塑剤も含んでもよい。好適な例は、モノサッカライド、ジサッカライド、オリゴサッカライド、及びマルトデキストリン、例えば、グルコース、スクロース、ソルビトール、アラビアゴム、グアーガム、及びマルトデキストリンを含む。
【００８３】
本発明のプロセスに使用される酸は、任意の酸でよい。例は、硫酸、硝酸、塩酸、スルファミン酸、及びホスホン酸を含む。一態様では、有機カルボン酸を使用する。別の態様では、１個を超えるカルボン酸基を含む有機酸を使用する。好適な有機酸の例としては、クエン酸、酒石酸、マレイン酸、リンゴ酸、コハク酸、セバシン酸、アジピン酸、イタコン酸、酢酸、及びアスコルビン酸などが挙げられる。一態様では、クエン酸などの飽和酸が用いられる。
【００８４】
デンプン、水、香料及び酸を含む水性混合物を形成後、混合物を高剪断下で混合し、デンプン水溶液中にて、封入成分のエマルション又は分散体を形成する。
【００８５】
次いで、任意の好適な技法は、酸及び香料を含む混合物が微粒化され、乾燥する過程の最終段階に使用され得る。好適な技法は、当該技術分野において既知のものに限定されないが、噴霧乾燥、押出し、噴霧冷却／結晶化方法、流動層コーティング、及び界面重合を促進するための相間移動触媒の使用が挙げられる。高い乾燥塔を使うこと、チャンバの壁に軽く給油すること、又は湿分を実質的に取り除いた事前に調整した空気を使うことなど当技術分野において既知の方法を使って、スプレー効率を高めてよい。
【００８６】
コーティングされたカプセル
いくつかの実施形態において、これまでに記載されたカプセルを形成する一次材料は、二次コーティング材料と更にカプセル化され得る。これまでに述べられたカプセルの種類のうちのいずれもが、それ自体又は追加の二次コーティング材料と共に、本発明において使用され得る。追加の二次コーティング材料は、香気の知覚を低下させること、経時的な揮発性成分の蒸発を（特に昇温かつ高湿度条件下での）低下させること、及び、活性化されたときにすでに錯体体化合物が機能的でないあるいは異なる臭気特性を有するような早期の反応又は分解をもたらす錯体化化合物（本発明では反応性の高い物質を含む）の露出を減少させることにより錯体化化合物の化学的安定性を増加させることに、役立つことができる。更に、コーティングされたカプセルの使用は、カプセル化材料の放出特徴を変化させ得る（その放出を減速させる若しくは加速させるか、又は放出誘因を変化させる、例えば、ｐＨ誘因を導入する）。一般的に、上記の機能の１つ以上を達成する一次カプセル化材料に添加されるか、又は一次カプセル化材料に直接適用される任意の二次材料はコーティングとして特徴付けられる。二次コーティングは、プリル化などの過程を使用する一次カプセルの作製に続く第２の加工処理工程を使用することを直接的に適用するか、又は任意の流動層加工処理を使用して、二次表面コーティングを適用することができる（例えば、ワースターコーティング機）。
【００８７】
本発明に好適なコーティング組成物は、当該技術分野において一般的に既知の全てのカプセルコーティング組成物である。これらは、例えば、ポリサッカライド（例えば、未修飾デンプン、化学的に修飾されたデンプン、デキストリン、シクロデキストリン、及びシクロデキストリン誘導体であるが、それに限定されない）、天然及び人工／合成ワックス、エステル、及びエステル誘導体、脂肪酸、天然及び合成及び化学的に修飾された脂質、脂肪アルコール、炭化水素（直鎖状又は分岐状、ワセリン）、腸溶コーティング組成物（Ｅｕｄｒａｇｉｔシリーズのメタクリル酸コポリマーなど）、ポリビニルアルコール、ポリエチレングリコール、シリコーン（例えば、シリコーンコポリマー及び官能性シリコーンに限定されない）、界面活性剤、乳化剤、ポリプロピレングリコール、セルロース誘導体（メチルセルロース、ヒドロキシプロピルセルロース）、グリセリン、モノ及びジグリセリド、ポリグリセロール、及びポリグリセロールエステル、及び食品用途において用いられる乳化剤を含む。
【００８８】
本発明で使用され得るコーティングされたカプセルの調製の例は、米国特許第４９７３４２２号に記載された（特に、実施例２を参照）。
【００８９】
錯体化化合物
「錯体」とは、錯化剤がホストであり、錯体化化合物が「ゲスト」であるＩＵＰＡＣ  Ｃｏｍｐｅｎｄｉｕｍ  ｏｆ  Ｃｈｅｍｉｃａｌ  Ｔｅｒｍｉｎｏｌｏｇｙ  ２ｎｄ  Ｅｄｉｔｉｏｎ（１９９７）の意味内の「包接錯体」を意図する。錯化剤の例はシクロデキストリンである。本明細書で使用される場合、用語「シクロデキストリン」は、約６〜約１２のグルコース単位を含む置換又は未置換シクロデキストリン、例えば、α−シクロデキストリン、β−シクロデキストリン、γ−シクロデキストリン、及び／又はそれらの誘導体、及び／又はそれらの混合物などの既知のシクロデキストリンのいずれかを含む。例えば、本発明のシクロデキストリン錯体は、β−シクロデキストリン、α−シクロデキストリン、ヒドロキシプロピルα−シクロデキストリン、ヒドロキシプロピルβ−シクロデキストリン、メチル化−α−シクロデキストリン、メチル化−β−シクロデキストリン、及びそれらの混合物からなる群から選択されるシクロデキストリンを含み得る。悪臭に対して活性である化合物のシクロデキストリン錯体は、例えば、米国特許第５，５７１，７８２号及び米国特許第５，５４３，１５７号に記載の混練方法を使用するか、又は好ましくは、国際公開特許ＷＯ２００８／１０４６９０Ａ２号に記載の噴霧乾燥方法を使用して、当該技術分野において既知の通り、調製され得る。
【００９０】
本発明のいくつかの実施形態では、芳香剤又は臭気制御組成物の適用パターンとＰＦＡの適用パターンとのパターンの重なりは、吸収性物品が平坦化された構成にあり、かつかつ前記パターンの重なりが物品の衣類に面する表面に対して垂直方向に沿って見られたときに、物品のバックシートの全表面の３％を超えない。
【００９１】
表面上への材料の「適用パターン」とは、この場合は芳香剤又は臭気制御組成物と固定用接着剤とのそれぞれ材料が接触している、表面の部分を示す。
【００９２】
「重なる」とは、かかる物品の衣類に面する表面に対して垂直方向に沿って観察する観察者の、「光路内にある」（日食において、月が太陽に重なるように）ことを意味する。
【００９３】
「バックシートの全表面」とは、存在する場合のウィングを含む吸収性物品のバックシートの全表面を意図する。
【００９４】
本発明のいくつかの実施形態では、芳香剤又は臭気制御組成物の適用パターンとＰＦＡの適用パターンとの重なりは、物品の全表面の３％を超えない、又は１％を超えない、又は０．１％を超えない。
【００９５】
別の実施形態では、芳香剤又は臭気制御組成物の適用パターンとＰＦＡの適用パターンとは、全く重ならない。
【００９６】
また意外にも、吸収性物品が、吸収性ゲル材料（ＡＧＭ）などの超吸収性材料を含む吸収性層を含むとき、芳香剤又は臭気制御組成物からバックシートへの構成成分の移行が更に低減することも見出された。理論に束縛されるものではないが、これは、ＡＧＭによってエステルが少なくとも部分的に吸収されるという事実によるものと考えられる。
【００９７】
本発明は更に、生理用ナプキン、失禁パッド、及びパンティーライナーから選択される吸収性物品の製造方法も包含し、この物品は、身体に面する表面及び衣類に面する表面を有し、
トップシート層と、
バックシート層と、
任意選択の、トップシートとバックシートとの間に囲まれる１つ以上の中間層と、
１つ以上の熱可塑性エラストマーを含む接着剤が前記バックシートの衣類に面する表面上に適用される固定用接着剤と、を含む。
【００９８】
この種の吸収性物品は通常、物品を構成する様々な層を、コンベヤベルト上で組み合わせることによって製造される。本発明に従う方法は、層が組み合わされるときに、製造ラインに沿って、２．９以上のｌｏｇ  Ｐ値及び１４５０以上のコバッツ保持指数を有するもう１つのエステルを含み、少なくとも９０重量％の前記１つ以上のエステルがカプセル化形態又は錯体化形態で含まれる、芳香剤又は臭気制御組成物が、前記吸収性物品の層上又は層内部に直接適用される工程を含む。
【００９９】
本明細書に開示した寸法及び値は、記載された正確な数値に厳密に限定されるものと理解されるべきではない。むしろ、特に指定がない限り、そのような寸法のそれぞれは、記載された値及びその値の周辺の機能的に同等の範囲の両方を意味するものとする。例えば、「４０ｍｍ」と開示された寸法は、「約４０ｍｍ」を意味するものである。
【０１００】
任意の相互参照付き又は関連する特許又は公開を含む本明細書で引用された全ての文献は、明示的に除外されるか、又は別途制限されない限り、その全体が参照によりここで本明細書に組み込まれる。いかなる文献の引用も、それが本明細書において開示され請求されるいずれかの発明に関する先行技術であること又はそれが単独で若しくは他のいかなる参照とのいかなる組み合わせにおいても、このような発明を教示する、提案する又は開示することを認めるものではない。更に、この文書の用語のある意味又は定義が、参照として組み込まれる文書の用語のある意味又は用語の定義と矛盾する限りでは、この文書で用語に割り当てられた意味又は定義が適用されるものとする。
【０１０１】
本発明の特定の実施形態が例示されて説明されたが、本発明の精神及び範囲から逸脱することなく様々な他の変形及び変更が行われ得ることは当業者にとって明白であろう。したがって、添付の特許請求の範囲において、本発明の範囲内である全てのかかる変更及び修正を網羅することが意図される。
【国際調査報告】
2016523633.tif 000003
2016523633.tif 000004
2016523633.tif 000005